(57)【要約】【課題】車載端末装置におけるコンテンツデータの記憶容量を削減すること。【解決手段】グループ再生処理部２２ａは、複数のコンテンツデータからなるグループ単位でコンテンツデータを再生し、グループ管理部２５は、新規のコンテンツグループを追加する場合に、その新規グループに含まれるコンテンツデータと既存のグループに含まれるコンテンツデータとを比較し、既存のグループに含まれるコンテンツデータは共用し、既存のグループに含まれていないコンテンツデータのみを取得し、ハードディスク３０に記憶させる。【選択図】        図１
2006293815.tif 000002
【特許請求の範囲】
【請求項１】
音声出力および／または表示出力を含むコンテンツデータを車両乗員に提供する車載端末装置であって、
前記コンテンツデータを記憶する記憶手段と、
複数のコンテンツデータからなるグループ単位でコンテンツデータを再生するグループ再生処理手段と、
新規グループの追加時に、当該新規グループに含まれるコンテンツデータと既存のグループに含まれるコンテンツデータとを比較し、既存のグループに含まれるコンテンツデータを共用するグループ管理手段と、
を備えたことを特徴とする車載端末装置。
【請求項２】
通信によって前記コンテンツデータを取得する通信手段をさらに備え、前記グループ管理手段は、新規グループの追加時に既存のグループに含まれないコンテンツデータを前記通信手段によって取得することを特徴とする請求項１に記載の車載端末装置。
【請求項３】
前記グループ管理手段は、グループの削除を行なう場合に、他のグループと共用していないコンテンツデータを選択して削除することを特徴とする請求項１または２に記載の車載端末装置。
【請求項４】
前記コンテンツデータは音楽データであることを特徴とする請求項１，２または３に記載の車載端末装置。
【請求項５】
単一のグループ内の複数のコンテンツデータは、同一のコンテンツ提供者から提供されたものであることを特徴とする請求項１〜４のいずれか一つに記載の車載端末装置。
【請求項６】
複数のコンテンツ提供者から提供されたコンテンツデータを同一のグループとして形成することを特徴とする請求項１〜４のいずれか一つに記載の車載端末装置。
【請求項７】
複数のコンテンツデータからなるグループ単位で再生処理を行なうグループ再生機能を備えた車載端末におけるコンテンツデータ管理方法であって、
新規グループの追加時に、当該新規グループに含まれるコンテンツデータと既存のグループに含まれるコンテンツデータとを比較する比較工程と、
前記比較の結果、既存のグループに含まれるコンテンツデータを共用させる共用化工程と、
を含んだことを特徴とするコンテンツデータ管理方法。
【請求項８】
新規グループの追加時に既存のグループに含まれないコンテンツデータを通信手段によって外部から取得する通信工程をさらに含んだことを特徴とする請求項７に記載のコンテンツデータ管理方法。
【請求項９】
グループの削除を行なう場合に、他のグループと共用していないコンテンツデータを選択して削除する選択削除工程をさらに含んだことを特徴とする請求項７または８に記載のコンテンツデータ管理方法。
【請求項１０】
前記コンテンツデータは音楽データであることを特徴とする請求項７，８または９に記載のコンテンツデータ管理方法。
【発明の詳細な説明】
【技術分野】
【０００１】
この発明は、音声出力および／または表示出力を含むコンテンツデータを車両乗員に提供する車載端末装置およびコンテンツデータに関し、特に複数のコンテンツデータからなるグループ単位での再生に適した車載端末装置およびコンテンツデータ管理方法に関する。
【背景技術】
【０００２】
従来、車両にはラジオなどの放送を受信する、カセットテープやＣＤなどの記録媒体に記録した音楽データを再生する、など車両乗員に娯楽を提供する機能が搭載されてきた。そして近年では、車外のサーバとの通信を利用して車両乗員が所望の情報や音楽データなどを取得することが可能となっている（例えば特許文献１参照。）。
【０００３】
【特許文献１】特開２００４−３１８７２８号公報
【発明の開示】
【発明が解決しようとする課題】
【０００４】
ところで、車両におけるコンテンツデータの再生では、例えば夏に関連する楽曲や、ドライブに適した楽曲など、複数のコンテンツデータをグループにまとめて再生することが行なわれる。そして、各コンテンツデータは単一のグループに属するとは限らず、複数のグループに属することがある。
【０００５】
しかし、コンテンツデータの提供者、いわゆるコンテンツプロバイダからこのようなコンテンツグループを提供する場合、複数のコンテンツグループに同じコンテンツが含まれていたとしても別々に保存され、記憶媒体の容量を余分に消費することがあるという問題点があった。
【０００６】
本発明は、上述した従来技術における問題点を解消するためになされたものであり、グループ間で共通するコンテンツデータを共用し、記憶容量を削減する車載端末装置およびコンテンツデータ管理方法を提供することを目的とする。
【課題を解決するための手段】
【０００７】
上述した課題を解決し、目的を達成するため、請求項１の発明に係る車載端末装置は、音声出力および／または表示出力を含むコンテンツデータを車両乗員に提供する車載端末装置であって、前記コンテンツデータを記憶する記憶手段と、複数のコンテンツデータからなるグループ単位でコンテンツデータを再生するグループ再生処理手段と、新規グループの追加時に、当該新規グループに含まれるコンテンツデータと既存のグループに含まれるコンテンツデータとを比較し、既存のグループに含まれるコンテンツデータを共用するグループ管理手段と、を備えたことを特徴とする。
【０００８】
この請求項１の発明によれば車載端末装置は、複数のコンテンツデータからなるグループ単位でコンテンツデータを再生する機能を備え、新規グループの追加時に、その新規グループに含まれるコンテンツデータと既存のグループに含まれるコンテンツデータとを比較し、既存のグループに含まれるコンテンツデータを共用する。
【０００９】
また、請求項２の発明に係る車載端末装置は、請求項１の発明において、通信によって前記コンテンツデータを取得する通信手段をさらに備え、前記グループ管理手段は、新規グループの追加時に既存のグループに含まれないコンテンツデータを前記通信手段によって取得することを特徴とする。
【００１０】
この請求項２の発明によれば車載端末装置は、新規グループの追加時に、その新規グループに含まれるコンテンツデータと既存のグループに含まれるコンテンツデータとを比較し、既存のグループに含まれないコンテンツデータを通信によって取得する。
【００１１】
また、請求項３の発明に係る車載端末装置は、請求項１または２の発明において、前記グループ管理手段は、グループの削除を行なう場合に、他のグループと共用していないコンテンツデータを選択して削除することを特徴とする。
【００１２】
この請求項３の発明によれば車載端末装置は、複数のコンテンツデータからなるグループ単位でコンテンツデータを再生する機能を備え、グループの削除を行なう場合に、他のグループと共用していないコンテンツデータを選択して削除する。
【００１３】
また、請求項４の発明に係る車載端末装置は、請求項１，２または３の発明において、前記コンテンツデータは音楽データであることを特徴とする。
【００１４】
この請求項４の発明によれば車載端末装置は、複数の音楽データからなるグループ単位で音楽データを再生する機能を備え、新規グループの追加時に、その新規グループに含まれる音楽データと既存のグループに含まれる音楽データとを比較し、既存のグループに含まれる音楽データを共用する。
【００１５】
また、請求項５の発明に係る車載端末装置は、請求項１〜４のいずれか一つの発明において、単一のグループ内の複数のコンテンツデータは、同一のコンテンツ提供者から提供されたものであることを特徴とする。
【００１６】
この請求項５の発明によれば車載端末装置は、同一のコンテンツ提供者から提供された複数のコンテンツデータからなるグループ単位でコンテンツデータを再生する機能を備え、新規グループの追加時に、その新規グループに含まれるコンテンツデータと既存のグループに含まれるコンテンツデータとを比較し、既存のグループに含まれるコンテンツデータを共用する。
【００１７】
また、請求項６の発明に係る車載端末装置は、請求項１〜４のいずれか一つの発明において、複数のコンテンツ提供者から提供されたコンテンツデータを同一のグループとして形成することを特徴とする。
【００１８】
この請求項６の発明によれば車載端末装置は、複数のコンテンツ提供者から提供された複数のコンテンツデータからなるグループ単位でコンテンツデータを再生する機能を備え、新規グループの追加時に、その新規グループに含まれるコンテンツデータと既存のグループに含まれるコンテンツデータとを比較し、既存のグループに含まれるコンテンツデータを共用する。
【００１９】
また、請求項７の発明に係るコンテンツデータ管理方法は、複数のコンテンツデータからなるグループ単位で再生処理を行なうグループ再生機能を備えた車載端末におけるコンテンツデータ管理方法であって、新規グループの追加時に、当該新規グループに含まれるコンテンツデータと既存のグループに含まれるコンテンツデータとを比較する比較工程と、前記比較の結果、既存のグループに含まれるコンテンツデータを共用させる共用化工程と、を含んだことを特徴とする。
【００２０】
この請求項７の発明によればコンテンツデータ管理方法は、複数のコンテンツデータからなるグループの新規追加時に、新規グループに含まれるコンテンツデータと既存のグループに含まれるコンテンツデータとを比較し、既存のグループに含まれるコンテンツデータを共用させる。
【００２１】
また、請求項８の発明に係るコンテンツデータ管理方法は、請求項７の発明において、新規グループの追加時に既存のグループに含まれないコンテンツデータを通信手段によって外部から取得する通信工程をさらに含んだことを特徴とする。
【００２２】
この請求項８の発明によればコンテンツデータ管理方法は、複数のコンテンツデータからなるグループの新規追加時に、新規グループに含まれるコンテンツデータと既存のグループに含まれるコンテンツデータとを比較し、既存のグループに含まれないコンテンツデータを通信によって外部から取得する。
【００２３】
また、請求項９の発明に係るコンテンツデータ管理方法は、請求項７または８の発明において、グループの削除を行なう場合に、他のグループと共用していないコンテンツデータを選択して削除する選択削除工程をさらに含んだことを特徴とする。
【００２４】
この請求項９の発明によればコンテンツデータ管理方法は、複数のコンテンツデータからなるグループの削除時に、削除するグループに含まれるコンテンツデータと他のグループに含まれるコンテンツデータとを比較し、他のグループと共用していないコンテンツデータのみを削除する。
【００２５】
また、請求項１０の発明に係るコンテンツデータ管理方法は、請求項７，８または９の発明において、前記コンテンツデータは音楽データであることを特徴とする。
【００２６】
この請求項１０の発明によればコンテンツデータ管理方法は、複数の音楽データからなるグループの新規追加時に、新規グループに含まれる音楽データと既存のグループに含まれる音楽データとを比較し、既存のグループに含まれる音楽データを共用させる。
【発明の効果】
【００２７】
請求項１の発明によれば車載端末装置は、複数のコンテンツデータからなるグループ単位でコンテンツデータを再生する機能を備え、新規グループの追加時に、その新規グループに含まれるコンテンツデータと既存のグループに含まれるコンテンツデータとを比較し、既存のグループに含まれるコンテンツデータを共用するので、コンテンツデータの記憶容量を削減する車載端末装置を得ることができるという効果を奏する。
【００２８】
また、請求項２の発明によれば車載端末装置は、新規グループの追加時に、その新規グループに含まれるコンテンツデータと既存のグループに含まれるコンテンツデータとを比較し、既存のグループに含まれないコンテンツデータを通信によって取得するので、通信によって新たに取得するコンテンツデータの容量を削減する車載端末装置を得ることができるという効果を奏する。
【００２９】
また、請求項３の発明によれば車載端末装置は、複数のコンテンツデータからなるグループ単位でコンテンツデータを再生する機能を備え、グループの削除を行なう場合に、他のグループと共用していないコンテンツデータを選択して削除するので、コンテンツデータの記憶容量を削減し、グループの追加と削除が可能な車載端末装置を得ることができるという効果を奏する。
【００３０】
また、請求項４の発明によれば車載端末装置は、複数の音楽データからなるグループ単位で音楽データを再生する機能を備え、新規グループの追加時に、その新規グループに含まれる音楽データと既存のグループに含まれる音楽データとを比較し、既存のグループに含まれる音楽データを共用するので、音楽データの記憶容量を削減する車載端末装置を得ることができるという効果を奏する。
【００３１】
また、請求項５の発明によれば車載端末装置は、同一のコンテンツ提供者から提供された複数のコンテンツデータからなるグループ単位でコンテンツデータを再生する機能を備え、新規グループの追加時に、その新規グループに含まれるコンテンツデータと既存のグループに含まれるコンテンツデータとを比較し、既存のグループに含まれるコンテンツデータを共用するので、コンテンツデータの記憶容量を削減する車載端末装置を得ることができるという効果を奏する。
【００３２】
また、請求項６の発明によれば車載端末装置は、複数のコンテンツ提供者から提供された複数のコンテンツデータからなるグループ単位でコンテンツデータを再生する機能を備え、新規グループの追加時に、その新規グループに含まれるコンテンツデータと既存のグループに含まれるコンテンツデータとを比較し、既存のグループに含まれるコンテンツデータを共用するので、コンテンツデータの記憶容量を削減する車載端末装置を得ることができるという効果を奏する。
【００３３】
また、請求項７の発明によればコンテンツデータ管理方法は、複数のコンテンツデータからなるグループの新規追加時に、新規グループに含まれるコンテンツデータと既存のグループに含まれるコンテンツデータとを比較し、既存のグループに含まれるコンテンツデータを共用させるので、コンテンツデータの記憶容量を削減するコンテンツデータ管理方法を得ることができるという効果を奏する。
【００３４】
また、請求項８の発明によればコンテンツデータ管理方法は、複数のコンテンツデータからなるグループの新規追加時に、新規グループに含まれるコンテンツデータと既存のグループに含まれるコンテンツデータとを比較し、既存のグループに含まれないコンテンツデータを通信によって外部から取得するので、通信によって取得するコンテンツデータの容量を削減するコンテンツデータ管理方法を得ることができるという効果を奏する。
【００３５】
また、請求項９の発明によればコンテンツデータ管理方法は、複数のコンテンツデータからなるグループの削除時に、削除するグループに含まれるコンテンツデータと他のグループに含まれるコンテンツデータとを比較し、他のグループと共用していないコンテンツデータのみを削除するので、コンテンツデータの記憶容量を削減しつつ、グループの追加と削除が可能なコンテンツデータ管理方法を得ることができるという効果を奏する。
【００３６】
また、請求項１０の発明によればコンテンツデータ管理方法は、複数の音楽データからなるグループの新規追加時に、新規グループに含まれる音楽データと既存のグループに含まれる音楽データとを比較し、既存のグループに含まれる音楽データを共用させるので、音楽データの記憶容量を削減するコンテンツデータ管理方法を得ることができるという効果を奏する。
【発明を実施するための最良の形態】
【００３７】
以下に添付図面を参照して、この発明に係る車載端末装置およびコンテンツデータ管理方法の好適な実施例について詳細に説明する。
【実施例】
【００３８】
図１は、本発明の実施の形態である車載端末装置１の概要構成を示す概要構成図である。また、図２は、本発明の実施の形態にかかるコンテンツ提供システムの概要を説明する説明図である。
【００３９】
図２に示すように、車両に搭載された車載端末装置１は、サーバ４０との通信を利用し、複数のコンテンツプロバイダ（コンテンツプロバイダＡ〜Ｃ）が提供するコンテンツデータである楽曲データを再生可能とする。
【００４０】
楽曲データの取得方法は、サーバ４０との通信によって楽曲データ自体を取得（ダウンロード）する方法と、予め車両側に暗号化された楽曲データを記憶させておき、復号用のキーデータであるライセンスキーをサーバ４０との通信によって取得する方法とを用いることができる。
【００４１】
図１に示すように、車載端末装置１はその内部に携帯電話１１、ＤＣＭ（Data Communication Module）１２、スピーカ１３、ディスプレイ１４、タッチパネル１５、主制御部２０およびハードディスク３０を有する。
【００４２】
携帯電話１１およびＤＣＭ１２は、図２に示すサーバ４０との通信を行なう通信手段である。携帯電話１１は、単独で携帯電話端末として機能するが、ここでは車載端末装置１に接続されて車載端末装置１とサーバ４０との通信に使用される。また、ＤＣＭ１２は、車載端末装置２０に内蔵された専用の通信手段である。
【００４３】
スピーカ１３は車室の乗員に対する音声出力を、ディスプレイ１４は車室の乗員に対する表示出力をそれぞれ行なう出力手段である。また、タッチパネル１５は、乗員（ユーザ）からの操作入力を受け付ける入力手段である。このスピーカ１３、ディスプレイ１４およびタッチパネル１５は、ナビゲーション装置など他の車載装置と共用することができる。
【００４４】
主制御部２０は、車載端末装置１を全体制御する制御部であり、その内部に保存処理部２１、選曲処理部２２、表示処理部２３、契約処理部２４およびグループ管理部２５を有する。保存処理部２１は、サーバ４０との通信によって取得した楽曲データやライセンスキーをハードディスク３０に保存する処理を行なう。
【００４５】
選曲処理部２２は、ユーザの操作に基づいて再生する楽曲データを選択し、再生を実行する処理部である。さらに表示制御部２３は、ディスプレイ１４に表示する表示内容を制御する処理をおこなう。
【００４６】
契約処理部２４は、サーバ４０との通信を介してコンテンツプロバイダとの契約を行なう処理部である。この契約は、各プロバイダと個別に行なう。また、契約の形態には、そのプロバイダが提供するコンテンツ全て（もしくは全コンテンツの所定量）から任意のコンテンツを回数制限なく定額で利用可能な定額契約と、所望のコンテンツを使用する時点でそのコンテンツに対する課金を行なう（もしくは予め購入したチケットを消費する）個別購入契約とがある。
【００４７】
そのため、ユーザはコンテンツプロバイダごとに「定額契約」を結ぶか否かを選択することができ、定額契約を結んでいないコンテンツプロバイダが提供するコンテンツデータについても「個別購入契約」によって利用することが可能である。
【００４８】
グループ管理部２５は、複数のコンテンツデータ（楽曲データ）からなる「グループ」を管理する処理を行なう。ここで、グループとは、例えば夏に関連する楽曲や、ドライブに適した楽曲などをそれぞれ纏めたものである。
【００４９】
そして、選曲処理部２２内部のグループ再生処理部２２ａは、グループ単位でコンテンツデータを再生する処理を行なう。具体的には、ユーザによって再生すべきグループが指定された場合に、そのグループに属するコンテンツデータを順次、もしくはランダムに選択して再生する。
【００５０】
ところで、各コンテンツデータは単一のグループに属するとは限らず、複数のグループに属することがある。例えば、ある楽曲が「夏に関連する楽曲グループ」に属し、かつ「ドライブに適した楽曲グループ」に属する、という状況が発生する。
【００５１】
そして、コンテンツプロバイダからこのようなコンテンツグループを取得する場合に、複数のコンテンツグループに属するコンテンツデータをそれぞれハードディスク３０に保存するとハードディスク３０の記憶容量を余分に使用することとなる。
【００５２】
そこで、グループ管理部２５は、新規のコンテンツグループを追加する場合に、その新規グループに含まれるコンテンツデータと既存のグループに含まれるコンテンツデータとを比較し、既存のグループに含まれるコンテンツデータは共用し、既存のグループに含まれていないコンテンツデータのみを取得し、ハードディスク３０に記憶させる。
【００５３】
同様に、グループ管理部２５は、グループの削除を行なう場合に、他のグループと共用していないコンテンツデータのみを選択的にハードディスク３０から削除する。
【００５４】
ハードディスク３０は、各種データを記憶する記憶手段であり、具体的には楽曲管理テーブル３１およびコンテンツデータ３２などを記憶する。
【００５５】
楽曲管理テーブル３１は、ユーザによって選択可能な楽曲データを示すテーブルであり、選曲処理部２２はこの楽曲管理テーブル３１を参照して選曲処理を行なう。また、楽曲管理テーブル３１は、各楽曲のグループへの所属状態を示すグループデータ３１ａを含む。
【００５６】
コンテンツデータ３２は、各コンテンツプロバイダから取得したコンテンツ自体を記憶するデータ群であり、具体的には楽曲データＭｄ０１，Ｍｄ０２などである。このコンテンツデータ３２は、サーバ４０との通信によって楽曲データ自体を取得（ダウンロード）したダウンロードデータと、予め車両側に暗号化された楽曲データを記憶させておき、復号用のキーデータであるライセンスキーをサーバ４０との通信によって取得したプレインストールデータを含む。
【００５７】
つぎに、楽曲管理テーブル３１の具体例を図３に示す。同図に示すように、楽曲管理テーブル３１は、「曲名」、「再生可否」、「提供元」、「所属グループ」などの項目を有する。
【００５８】
「曲名」は、このコンテンツデータの曲名を示す項目であり、そのコンテンツデータが再生可能であるか否かは「再生可否」の項目に示される。コンテンツデータが再生可能である状態とは、ダウンロードが完了しているか、もしくは暗号化してプレインストールされたデータであればライセンスキーを取得済みの状態であり、同図では楽曲Ｍ０１〜Ｍ０４が再生可能である。
【００５９】
「提供元」は、その楽曲を提供するコンテンツプロバイダを示す項目であり、同図では楽曲Ｍ０１〜Ｍ０５がコンテンツプロバイダＡから提供され、楽曲Ｍ０６がコンテンツプロバイダＢから提供されている。
【００６０】
「所属グループ」は、グループデータ３１ａに対応し、各楽曲のグループへの所属状態を示す項目である。同図では、楽曲Ｍ０１〜Ｍ０４がグループＧ０１に所属し、楽曲Ｍ０４〜Ｍ０６がグループＧ０２に所属している。すなわち、楽曲Ｍ０４はグループＧ０１とＧ０２の双方に所属している。
【００６１】
なお、各グループに含まれる楽曲は、同一コンテンツプロバイダから提供されたものであっても良いし、異なるコンテンツプロバイダから提供されたコンテンツデータを含んでも良い。具体的には、グループＧ０１に含まれる楽曲は全てコンテンツプロバイダＡが提供元であるが、グループＧ０２は、コンテンツプロバイダＢから提供された楽曲Ｍ０６を含んでいる。
【００６２】
つづいて、図４を参照し、グループ管理部２５によるグループの管理についてさらに説明する。同図では、まず、グループＧ０１に含まれる楽曲Ｍ０１〜Ｍ４が再生可能な状態となっている。
【００６３】
この状態からグループＧ０２を新規に追加する場合、グループＧ０２は楽曲Ｍ０４〜Ｍ０６によって構成されるが、楽曲Ｍ０４はグループＧ０１に含まれており、既に再生可能な状態である。そこで、グループ管理部２５は、グループＧ０２に含まれる楽曲のうち、再生可能ではない（グループＧ０１に含まれていない）楽曲である楽曲Ｍ０５および楽曲Ｍ０６のみをダウンロード（もしくはライセンスキー取得）して再生可能な状態とする。
【００６４】
その後、グループＧ０１を削除する場合には、グループＧ０１に含まれる楽曲のうち、グループＧ０２と共用している楽曲Ｍ０４以外の楽曲、すなわち楽曲Ｍ０１〜Ｍ０３のみを削除する。
【００６５】
上述してきたように、本実施例にかかる車載端末装置１は、新規のコンテンツグループを追加する場合に、その新規グループに含まれるコンテンツデータと既存のグループに含まれるコンテンツデータとを比較し、既存のグループに含まれるコンテンツデータは共用し、既存のグループに含まれていないコンテンツデータのみを取得し、ハードディスク３０に記憶させることで、記憶容量を削減する。
【産業上の利用可能性】
【００６６】
以上のように、本発明にかかる車載端末装置は、車両乗員に対するコンテンツデータの提供に有用であり、特にコンテンツデータの記憶容量削減に適している。
【図面の簡単な説明】
【００６７】
【図１】本発明の実施例にかかる車載端末装置の概要構成を示す概要構成図である。
【図２】本発明の実施の形態にかかるコンテンツサービスシステムの概要を説明する説明図である。
【図３】図１に示した楽曲管理テーブルの具体例について説明する説明図である。
【図４】図１に示したグループ管理部による処理について説明する説明図である。
【符号の説明】
【００６８】
１    車載端末装置
１１    携帯電話
１２    ＤＣＭ
１３    スピーカ
１４    ディスプレイ
１５    タッチパネル
２０    主制御部
２１    保存処理部
２２    選曲処理部
２２ａ  グループ再生処理部
２３    表示処理部
２４    契約処理部
２５    グループ管理部
３０    ハードディスク
３１    楽曲管理テーブル
３１ａ  グループデータ
３２    コンテンツデータ
４０    サーバ
【図１】
2006293815.tif 000003
【図２】
2006293815.tif 000004
【図３】
2006293815.tif 000005
【図４】
2006293815.tif 000006